(57)【要約】【課題】おしゃぶりを衛生的に使用することができ、両親等が頻繁におしゃぶりを乳幼児に与える煩雑さがなく乳幼児自身で容易におしゃぶりを取り扱うことができ、紛失することも防止できる乳幼児エプロンおよび乳幼児エプロン用おしゃぶり保持体を提供する。【解決手段】本発明の乳幼児エプロン１は、エプロン本体部２と、エプロン本体部２に取り付けられたおしゃぶり保持体３とを有し、おしゃぶり保持体３の一端３ａ付近はエプロン本体部２の襟回り中央部４付近に取り付けられ、おしゃぶり保持体３の他端３ｂ付近はおしゃぶり保持部５を備え、おしゃぶり保持体３は襟回り中央部４付近より垂下すると共に、おしゃぶり４０を保持した状態で乳幼児の口元付近におしゃぶり４０を移動可能な長さに形成されている。【選択図】図１
2005097765.tif 000002
【特許請求の範囲】
【請求項１】
エプロン本体部と、該エプロン本体部に取り付けられたおしゃぶり保持体とを有し、該おしゃぶり保持体の一端付近は前記エプロン本体部の襟回り中央部付近に取り付けられ、前記おしゃぶり保持体の他端付近はおしゃぶり保持部を備え、前記おしゃぶり保持体は襟回り中央部付近より垂下すると共に、おしゃぶりを保持した状態で乳幼児の口元付近に前記おしゃぶりを移動可能な長さに形成されていることを特徴とする乳幼児エプロン。
【請求項２】
乳幼児エプロンに装着される乳幼児エプロン用おしゃぶり保持体であって、該乳幼児エプロン用おしゃぶり保持体は、一端付近が前記乳幼児エプロンのエプロン本体部の襟回り中央部付近に取りつけられ、他端付近がおしゃぶり保持部を備え、前記乳幼児エプロンに装着されると、襟回り中央部付近より垂下すると共に、おしゃぶりを保持した状態で乳幼児の口元付近に前記おしゃぶりを移動可能な長さに形成されていることを特徴とする乳幼児エプロン用おしゃぶり保持体。
【発明の詳細な説明】
【技術分野】
【０００１】
本発明は、おしゃぶりを装着可能な乳幼児エプロン、および乳幼児エプロンにおしゃぶりを装着可能とするための乳幼児エプロン用おしゃぶり保持体に関するものである。
【背景技術】
【０００２】
おしゃぶりは、乳幼児がそれを吸引したり噛んだりすることにより、乳幼児に精神的安心感を与えると共に、未だ歯の生えない乳幼児には歯茎を固める作用を奏することから、今日その重要性が見直されている。
【０００３】
しかし、乳幼児はおしゃぶりを絶えず口に銜え続けるものではなく、時には口から外すため、おしゃぶりが床や地面などに落下して放置されることが多い。
【０００４】
放置されたおしゃぶりには、ゴミや埃等が付着して不衛生であり、また、放置されたおしゃぶりは、両親等が頻繁に洗浄して乳幼児に与えなければならず煩雑であった。さらに、放置されたおしゃぶりが紛失してしまうことも多々あり何度も再購入することがあった。
【０００５】
そして、そのような問題点を解決するものとして、図７に示した幼児用おしゃぶりおもちゃ（特開平１−１３５９４３号公報）が提案されている。この幼児用おしゃぶりおもちゃ５０は、よだれ掛け５１にポケット５２を設け、ポケット５２に吊紐５３を取りつけておしゃぶり５４を保持させたものである。おしゃぶり５４は、吊紐５３がおしゃぶり５４を乳幼児の口元まで運ぶことができる長さに調整されているため使用することができると共に、不使用時には、ポケット５２に入れて保管することができるように構成されている。
【０００６】
また、他の従来例として、図８に示した幼児用エプロン６０がある。この幼児用エプロン６０は、前面におしゃぶり６１を着脱可能とする弾性突起６２を備えており、未使用時にはおしゃぶり６１をこの弾性突起６２に装着し、使用時にはおしゃぶり６１を弾性突起６２より取り外すことができるように構成されている。
【特許文献１】特開平１−１３５９４３号公報
【特許文献２】特開２０００−２２０００４号公報
【０００７】
しかし、前者のものは、乳幼児自身がおしゃぶり５４をポケット５２から出し入れすることは困難であるため、両親等がその出し入れを行うケースが多く煩雑である。また、後者のものも、乳幼児自身がおしゃぶり６１を弾性突起６２に着脱することは困難であるため両親等のその動作を行うことが多い。すわなち、これらのものは乳幼児に対して両親等が頻繁におしゃぶりを与えなければならない点で従来の問題点を十分に解決していない。さらに、後者のものは、おしゃぶり６１が常時、幼児用エプロン６０に保持されているわけではないので放置されてゴミ等が付着したり紛失することを防止できない。
【発明の開示】
【発明が解決しようとする課題】
【０００８】
そこで、本発明の課題は、おしゃぶりを衛生的に使用することができ、両親等が頻繁におしゃぶりを乳幼児に与える煩雑さがなく乳幼児自身で容易におしゃぶりを取り扱うことができ、紛失することも防止できる乳幼児エプロンおよび乳幼児エプロン用おしゃぶり保持体を提供することにある。
【課題を解決するための手段】
【０００９】
上記課題を解決するものは、エプロン本体部と、該エプロン本体部に取り付けられたおしゃぶり保持体とを有し、該おしゃぶり保持体の一端付近は前記エプロン本体部の襟回り中央部付近に取り付けられ、前記おしゃぶり保持体の他端付近はおしゃぶり保持部を備え、前記おしゃぶり保持体は襟回り中央部付近より垂下すると共に、おしゃぶりを保持した状態で乳幼児の口元付近に前記おしゃぶりを移動可能な長さに形成されていることを特徴とする乳幼児エプロンである。
【００１０】
また、上記課題を解決するものは、乳幼児エプロンに装着される乳幼児エプロン用おしゃぶり保持体であって、該乳幼児エプロン用おしゃぶり保持体は、一端付近が前記乳幼児エプロンのエプロン本体部の襟回り中央部付近に取りつけられ、他端付近がおしゃぶり保持部を備え、前記乳幼児エプロンに装着されると、襟回り中央部付近より垂下すると共に、おしゃぶりを保持した状態で乳幼児の口元付近に前記おしゃぶりを移動可能な長さに形成されていることを特徴とする乳幼児エプロン用おしゃぶり保持体である。
【発明の効果】
【００１１】
本発明の乳幼児エプロンは、おしゃぶりがおしゃぶり保持体の他端付近に取り付けられて不使用時には胸前付近に垂下しているため、床や地面に落下して放置されることがなく、おしゃぶりを衛生的に使用できる。また、乳幼児は胸前付近にあるおしゃぶりを口元に運ぶだけの動作でおしゃぶりを使用できるので、乳幼児自身で容易におしゃぶりを取り扱うことができ、両親等が頻繁におしゃぶりを乳幼児に与えることが不要となる。さらに、おしゃぶりは不使用時には胸前付近に垂下しているため、紛失することも防止できる。
【００１２】
また、本発明の乳幼児エプロン用おしゃぶり保持体は、現在使用中の乳幼児エプロンや既製の乳幼児エプロンなどに取り付けて上記効果を奏する乳幼児エプロンを容易に作製できる利点がある。
【発明を実施するための最良の形態】
【００１３】
本発明の乳幼児エプロン１は、図１に示すように、エプロン本体部２と、エプロン本体部２に取り付けられたおしゃぶり保持体３とを有し、おしゃぶり保持体３の一端３ａ付近はエプロン本体部２の襟回り中央部４付近に取り付けられ、おしゃぶり保持体３の他端３ｂ付近はおしゃぶり保持部５を備え、おしゃぶり保持体３は襟回り中央部４付近より垂下すると共に、おしゃぶり４０を保持した状態で乳幼児の口元付近におしゃぶり４０を移動可能な長さに形成されている。以下、順次各構成について詳述する。
【実施例１】
【００１４】
図１は本発明の乳幼児エプロンにおしゃぶりを取りつけた状態の正面図であり、図２は図１に示した乳幼児エプロンの正面図であり、図３は図１に示した乳幼児エプロンにおいて、おしゃぶり保持体を持ち上げて裏面を表した状態の正面図である。
【００１５】
エプロン本体部２は、食べ溢しによる被服の汚染防止やよだれ掛けとして機能する部位であり、幼児用エプロン１を乳幼児に装着すると、胸前や腹部付近を被覆する形状に形成されている。この実施例のエプロン本体部２は、図１ないし図３に示すような平面形状を有しているが、装着して胸前付近のみやさらに腹部付近までを被覆する形状であればどのような形状のものも本発明の範疇に包含される。
【００１６】
エプロン本体部２の上部両側には、上方に向かって延出する延出部２ａ，２ｂがそれぞれ形成されている。これは幼児用エプロン１を装着させる際に乳幼児の首回りに沿って巻回され装着部として機能する部位であり、その上端付近には、一対の凹凸にて係合するスナップボタン６ａ，６ｂがそれぞれ取りつけられている。ただし、装着部の構成はこれに限定されるものではなく、例えば延出部はなく紐部材にて縛って装着するなど、乳幼児に装着可能な構成であればどのような構造のものでもよい。
【００１７】
エプロン本体部２を形成する素材としては、タオル地など肌触りがよい布製材料などが好適であるが、例えば樹脂製材料など、食べ溢しによる被服の汚染防止やよだれ掛けとして機能するものであればどのようなものでもよい。
【００１８】
おしゃぶり保持体３は、乳幼児エプロン１にておしゃぶりを保持するための部位であり、本発明の乳幼児エプロン１は、このようなおしゃぶり保持体３を有していることにより、おしゃぶりが常時、エプロン本体部２に保持されており、おしゃぶりを衛生的に使用できると共に紛失を防止できる。なお、本願において「おしゃぶり」とは、乳幼児が口に運んで、噛んだり、舐めたり、吸引等できる乳幼児用玩具を広く包含するものであり、歯固めなども含む概念である。
【００１９】
おしゃぶり保持体３の一端３ａ付近は、図３に示すように、エプロン本体部２の襟回り中央部４付近に取り付けられている。この部位におしゃぶり保持体３の一端３ａを取り付けて、おしゃぶり保持体３の基点（基端部）とすることにより、不使用時はおしゃぶりを乳幼児の胸前付近に位置させることができ、使用時には口元へおしゃぶりを運ぶ際の折り返し点となって、乳幼児自身の手によっておしゃぶりを容易に取り扱うことが可能となる。換言すれば、おしゃぶり保持体３は、エプロン本体部２の襟回り中央部４付近を支点として、おしゃぶり４０を乳幼児の胸前と口元間を移動可能に保持している。
【００２０】
おしゃぶり保持体３の他端（先端部）３ｂ付近には、おしゃぶり保持部５が設けられている。このおしゃぶり保持部５は、おしゃぶり４０を取り付けるための部位であり、この実施例では、図２に示すように、最先端部付近に設けられた凹型のスナップボタン７ａと、その上部にそれぞれ離間して設けられた凸型のスナップボタン７ｂ，７ｃとを有している。そして、おしゃぶり４０を取り付ける際には、図１に示すように、おしゃぶり４０に設けられている環状体４１内におしゃぶり保持体３の他端３ｂを挿入し、スナップボタン７ａとスナップボタン７ｂ，７ｃのいずれかを係合させて取り付けるように構成されている。なお、最先端部付近に設けられたスナップボタン７ａは、おしゃぶりによっては環状体が小さい場合があるため、小さな環状体内にも挿入できるように、この実施例のように凹型のスナップボタンが取り付けられていることが好ましい。
【００２１】
そして、おしゃぶり保持体３は襟回り中央部４付近より垂下すると共に、おしゃぶり４０を保持した状態で乳幼児の口元付近におしゃぶり４０を移動可能な長さに形成されている。これにより、本発明の乳幼児エプロンは、おしゃぶりがおしゃぶり保持体の他端付近に取り付けられて不使用時には胸前付近に垂下しているため、床や地面に落下して放置されることがなく、おしゃぶりを衛生的に使用できる。また、乳幼児は胸前付近にあるおしゃぶりを口元に運ぶだけの動作でおしゃぶりを使用できるので、乳幼児自身で容易におしゃぶりを取り扱うことができ、両親等が頻繁におしゃぶりを乳幼児に与えることが不要となる。さらに、おしゃぶりは不使用時には胸前付近に垂下しているため、紛失することも防止できる。さらに、おしゃぶりは、襟回り中央部付近より垂下して胸前中央付近に位置するため、右利きの乳幼児でも、左利きの乳幼児でも容易に口元に運ぶことができる。
【００２２】
なお、おしゃぶり保持体３は、この実施例のように、おしゃぶり４０を保持した際の長さを調整できることが好ましい。これにより、乳幼児の成長や生れつきの体格に応じて、最適な位置（胸前付近）におしゃぶりが位置するよう調整することができる。また、この実施例のおしゃぶり保持体３は、２段階に長さ調整可能であるがそれ以上の段階に調整可能であってもよく、さらに、スナップボタンに代えて面ファイスナーなどを使用して接合位置をづらすことにより長さ調整可能としてもよい。さらに、この実施例のおしゃぶり保持部５は上記のような構成を有しているが、これに限定されるものではなく、おしゃぶりを保持できる構成であればどのような構造でもよい。さらに、この実施例のおしゃぶり保持体３は、エプロン本体部２と同一の布製材料にて形成されているが、布製材料に限らず、おしゃぶりを保持できるものであればどのような材料によるものでもよい。さらに、この実施例のおしゃぶり保持体３は帯状体に形成されているが、おしゃぶりを保持できるものであれば、例えば紐状体などどのような形状のものでもよい。
【００２３】
つぎに、図４に示した乳幼児エプロン１０について説明する。
この実施例の乳幼児エプロン１０と前述した乳幼児エプロン１との相違は、乳幼児エプロン１のおしゃぶり保持体３が、エプロン本体部２の襟回り中央部４付近に縫い付けられて一体的に取り付けられているのに対して、乳幼児エプロン１０のおしゃぶり保持体３は、エプロン本体部２の襟回り中央部４付近に着脱可能に取り付けられている点であり他は同様である。同一構成部分については同一符号を付し説明を省略する。
【００２４】
具体的には、乳幼児エプロン１０のおしゃぶり保持体３は、一端３ａ付近にボタン穴１２を有しており、他方、エプロン本体部２の襟回り中央部４付近には、ボタン１１が取り付けられている。そして、乳幼児エプロン１０におしゃぶり保持体３を装着する場合は、ボタン穴１２にボタン１１を挿嵌して取り付けるように構成されている。これにより、おしゃぶりを保持させることが不要な場合は、おしゃぶり保持体３を外した状態で乳幼児エプロンを使用することも可能となる。なお、おしゃぶり保持体３の着脱構造はこの実施例の構造に限定されるものでなく、例えば面ファスナーをエプロン本体部２の襟回り中央部４付近とおしゃぶり保持体３の一端３ａの裏面に取り付けたものなどでもよい。また、ボタン穴１２は、おしゃぶり保持体３が乳幼児エプロン１０から容易に外れないよう、この実施例のように縦方向に延在して設けられていることがより好ましい。
【００２５】
さらに、本発明の乳幼児エプロン用おしゃぶり保持体について図５に示した一実施例を用いて説明する。
この実施例の乳幼児エプロン用おしゃぶり保持体２０は、乳幼児エプロンに装着される乳幼児エプロン用おしゃぶり保持体であって、一端３ａ付近が乳幼児エプロンのエプロン本体部の襟回り中央部付近に取りつけられ、他端３ｂ付近がおしゃぶり保持部５を備え、乳幼児エプロンに装着されると、襟回り中央部付近より垂下すると共に、おしゃぶりを保持した状態で乳幼児の口元付近におしゃぶりを移動可能な長さに形成されたものである。この乳幼児エプロン用おしゃぶり保持体２０を、現在使用中の乳幼児エプロンや既製の乳幼児エプロンなどに取り付けて、前述した乳幼児エプロン１と同様の効果を奏する乳幼児エプロンを作製することができる。
【００２６】
なお、乳幼児エプロン用おしゃぶり保持体２０の構成は、前述した乳幼児エプロン１のおしゃぶり保持体３と全く同様であり、同一符号を付して詳述は省略する。また、この実施例の乳幼児エプロン用おしゃぶり保持体２０は、一端３ａを乳幼児エプロンのエプロン本体部の襟回り中央部付近に一体的に縫い付けて使用することができる。或いは、エプロン本体部の襟回り中央部付近と、一端３ａの裏面に面ファスナーを取り付けるなどして着脱可能に取り付けて使用してもよい。
【００２７】
図６に示した乳幼児エプロン用おしゃぶり保持体３０は、本発明の乳幼児エプロン用おしゃぶり保持体の他の実施例であり、乳幼児エプロンに取り付けて使用する点では、前述した乳幼児エプロン用おしゃぶり保持体２０と同様である。両者の相違点は、乳幼児エプロン用おしゃぶり保持体３０の一端３ａ付近にボタン穴３１が設けられている点であり、この乳幼児エプロン用おしゃぶり保持体３０を乳幼児エプロンに取り付ける場合は、乳幼児エプロンの襟回り中央部付近にボタンを縫い付けた後、そのボタンをボタン穴３１に挿嵌することにより取り付けることができる。その構成としては、図４に示したおしゃぶり保持体３と同様であり、詳述は省略する。
【図面の簡単な説明】
【００２８】
【図１】本発明の乳幼児エプロンにおしゃぶりを取りつけた状態の正面図である。
【図２】図１に示した乳幼児エプロンの正面図である。
【図３】図１に示した乳幼児エプロンにおいて、おしゃぶり保持体を持ち上げて裏面を表した状態の正面図である。
【図４】本発明の乳幼児エプロンの他の実施例の正面図である。
【図５】本発明の乳幼児エプロン用おしゃぶり保持体の正面図である。
【図６】本発明の乳幼児エプロン用おしゃぶり保持体の他の実施例の正面図である。
【図７】従来の乳幼児エプロンの斜視図である。
【図８】従来の乳幼児エプロンの正面図である。
【符号の説明】
【００２９】
１  乳幼児エプロン
２  エプロン本体部
３  おしゃぶり保持体
４  襟回り中央部  
５  おしゃぶり保持部
６  スナップボタン
７  スナップボタン
【図１】
2005097765.tif 000003
【図２】
2005097765.tif 000004
【図３】
2005097765.tif 000005
【図４】
2005097765.tif 000006
【図５】
2005097765.tif 000007
【図６】
2005097765.tif 000008
【図７】
2005097765.tif 000009
【図８】
2005097765.tif 000010